(57)【要約】【課題】  樹脂材料からなる部材を有するサッシに対して、断熱性能を維持しながら、防火性能を付与する。【解決手段】  開口部に配置される枠体と、枠体内に開閉自在に配置され樹脂框を備える障子を備え、障子の樹脂框は、中空部を有するとともに中空部内に補強部材が配置されており、中空部内の補強部材は、火災等による加熱時に外周に向かって膨張する加熱膨張材を備える。【選択図】図５
2019060071.tif 000002
【特許請求の範囲】
【請求項１】
開口部に配置される枠体と、枠体内に開閉自在に配置され樹脂框を備える障子を備え、
障子の樹脂框は、中空部を有するとともに中空部内に補強部材が配置されており、
中空部内の補強部材は、火災等による加熱時に外周に向かって膨張する加熱膨張材を備えることを特徴とするサッシ。
【発明の詳細な説明】
【技術分野】
【０００１】
建築物等の開口部に配置されるサッシに関する。
【背景技術】
【０００２】
従来、建築物の開口部に配置されるサッシとして、高い断熱性を有する樹脂枠及び樹脂框を備えるサッシが知られている。
【先行技術文献】
【特許文献】
【０００３】
【特許文献１】特開２０１６−１０８９０９号公報
【発明の概要】
【発明が解決しようとする課題】
【０００４】
特許文献１に示す樹脂サッシにおいては、樹脂材料の特徴を生かして高い断熱性を有することができるが、火炎や熱には弱いという一面があった。
近年、樹脂材料からなる部位を備える断熱サッシにおいても、高い防火性能が求められるようになってきた。
【０００５】
本発明は、上記の事情を鑑みたものであり、断熱性能とともに高い防火性能を備えるサッシを提供することを目的とする。
【課題を解決するための手段】
【０００６】
本発明の一つの実施形態は、開口部に配置される枠体と、枠体内に開閉自在に配置され樹脂框を備える障子を備え、障子の樹脂框は、中空部を有するとともに中空部内に補強部材が配置されており、中空部内の補強部材は、火災等による加熱時に外周に向かって膨張する加熱膨張材を備えるサッシである。
【発明の効果】
【０００７】
本実施形態によれば、樹脂材料からなる部材を有するサッシに対して、断熱性能を維持しながら、防火性能を付与することができる。
【図面の簡単な説明】
【０００８】
【図１】本発明の実施形態に係るサッシの外観図である。
【図２】本発明の実施形態に係るサッシの竪断面図である。
【図３】本発明の実施形態に係るサッシの横断面図である。
【図４】本発明の実施形態に係るサッシの上枠部分の拡大図であり、（ａ）は火災前の状態であり、（ｂ）は火災後の状態を示す図である。
【図５】本発明の実施形態に係るサッシの下枠部分の拡大図であり、（ａ）は火災前の状態であり、（ｂ）は火災後の状態を示す図である。
【図６】本発明の実施形態に係るサッシの右竪枠部分の拡大図であり、（ａ）は火災前の状態であり、（ｂ）は火災後の状態を示す図である。
【図７】本発明の実施形態に係るサッシの上枠の図であり、（ａ）は下方から見た平面図であり、（ｂ）は（ａ）のａ−ａ断面図であり、（ｃ）は（ａ）のｂ−ｂ断面図である。
【図８】本発明の実施形態に係るサッシの内障子の組み立て図である。
【図９】本発明の実施形態に係るサッシの下框と右竪框との接合部の図であり、（ａ）は分解斜視図であり、（ｂ）は分解正面図であり、（ｃ）は分解平面図である。
【図１０】本発明の実施形態に係るサッシの下框と右竪框との接合部の図であり、（ａ）は斜視図であり、（ｂ）は正面図であり、（ｃ）は平面図である。
【図１１】本発明の実施形態に係るサッシの端部キャップ及びコーナーブロックの図であり、（ａ）はコーナーブロックの側面図であり、（ｂ）はコーナーブロックの正面図であり、（ｃ）は端部キャップの側面図であり、（ｄ）は端部キャップの正面図であり、（ｅ）は端部キャップの平面図である。
【発明を実施するための形態】
【０００９】
本発明の実施形態に係るサッシについて、図面を参考にして説明する。
本発明の実施形態に係るサッシは、図１に示すように、建物開口部に配置される枠体１０と、枠体１０に対して摺動自在に配置される内障子２０及び外障子３０を備えている。
本実施形態のサッシの枠体１０は、上枠１１，下枠１２及び左、右竪枠１３，１４を有しており、各枠材は枠組されることなく、上枠１１，下枠１２及び左、右竪枠１３，１４がそれぞれ建物開口部の内周面にビス等の固定手段によって固定されることで建物開口部の四周に亘る枠体１０が形成されている。
また、本実施形態のサッシの内障子２０は、上框２１、下框２２、左竪框（召合框）２３及び右竪框（戸先框）２４を四周に組んで、その内周にパネル体２５を取り付けて形成されており、外障子３０は、上框３１、下框３２、左竪框（戸先框）３３及び右竪框（召合框）３４を四周に組んで、その内周にパネル体３５を取り付けて形成されている。
【００１０】
（枠体の構成）
枠体１０の上枠１１は、図２に示すように、樹脂材料からなる略平板状の上枠本体１１１と、アルミ合金等の金属材料からなる上レール部材１１２を有している。そして、上レール部材１１２が上枠本体１１１の内周面(下面)に配置された状態で、上枠本体１１１と上レール部材１１２はビス等の固定手段ｂにより、建物開口部の内周面（下面）にともに固定されている。
上枠本体１１１は、建物開口部に固定される上枠本体部１１１ａと、上枠本体部１１１ａの室内側端から垂下する室内側壁部１１１ｂを有している。
【００１１】
上レール部材１１２は、上枠本体１１１と共に建物開口部に固定される上レール固定部１１２ａと、上レール固定部１１２ａの室内側より下方に垂設される上内レール１１２ｂと、上レール固定部１１２ａの室外側より下方に垂設される上外レール１１２ｃを有している。
上枠１１の上内レール１１２ｂと上外レール１１２ｃとの間であって、内障子２０及び外障子３０の召合框２３，３４の上方位置にはヒレ状の風止め部を有する風止め部材７１が配置されている。
【００１２】
枠体１０の下枠１２は、図２に示すように、樹脂材料からなる略平板状の下枠本体１２１と、アルミ合金等の金属材料からなる下レール部材１２２を有している。そして、下レール部材１２２が下枠本体１２１の内周面（上面）に配置された状態で、下枠本体１２１と下レール部材１２２はビス等の固定手段ｂにより、建物開口部の内周面（上面）にともに固定されている。
下枠本体１２１は、建物開口部に固定される下枠本体部１２１ａと、下枠本体部１２１ａの室内側端から上方に立設する室内側壁部１２１ｂを有している。
【００１３】
下レール部材１２２は、下枠本体１２１と共に建物開口部に固定される下レール固定部１２２ａと、下レール固定部１２２ａの室内側より上方に立設する室内側下レール１２２２ｂと、下レール固定部１２２ａの室外側より上方に立設する下外レール１２２ｃを有している。
下枠１２の下内レール１２２ｂと下外レール１２２ｃとの間であって、内障子２０及び外障子３０の召合框２３，３４の下方位置にはヒレ状の風止め部を有する風止め部材７２が配置されている。
【００１４】
枠体１０の左、右竪枠１３，１４は、図３に示すように、樹脂材料からなり略平板状に形成されており、ビス等の固定手段ｂ，ｂにより、建物開口部の内周面に固定されている。
左、右竪枠１３，１４は、建物開口部に固定される左、右竪枠本体部１３１ａ，１４１ａと、左、右竪枠本体部１３１ａ，１４１ａの見込み方向略中央位置から内周方向に突設される中央壁部１３１ｂ，１４１ｂと、左、右竪枠本体部１３１ａ，１４１ａの室内側端から内周方向に突設される室内側壁部１３１ｃ，１４１ｃと、左、右竪枠本体部１３１ａ，１４１ａの室外側端から内周方向に突設される室外側壁部１３１ｄ，１４１ｄとを有している。
中央壁部１３１ｂ，１４１ｂは、内周端に、室内外両側に延びるヒレ状の気密片を有している。ヒレ状の気密片は、内障子２０もしくは外障子３０の閉鎖時において、内、外障子２０，３０の戸先框２４，３３に当接して、内、外障子２０，３０の閉鎖時における内障子２０と右竪枠１４との気密、外障子３０と左竪枠１３との気密をはかっている。
【００１５】
左竪枠１３は、左竪枠本体部１３１ａの内周側であって中央壁部１３１ｂの室外側に金属材料からなる補強部材１３２を有しており、右竪枠１４は、右竪枠本体部１４１ａの内周面であって中央壁部１４１ｂの室内側に金属材料からなる補強部材１４２を有している。
補強部材１３２，１４２は、アルミ合金やスチール等の金属材料からなる断面略Ｌ字状の長尺部材であり、左、右竪枠１３，１４の全長に亘って配置されている。
左、右竪枠１３，１４に配置された補強部材１３２，１４２は、それぞれ左、右竪枠１３，１４を固定する固定手段ｂ，ｂによって、左、右竪枠本体部１３１ａ，１４１ａとともに建物開口部に固定されている。
そして、左、右竪枠１３，１４に配置された補強部材１３２，１４２の内周面に、内外障子２０，３０の戸先框２４，３３に対向するように加熱膨張材が配置されている。
【００１６】
本実施形態のサッシの枠体１０を建物開口部に固定するに際しては、例えば、左竪枠１３→下枠１２→右竪枠１４→上枠１１の順番で建物開口部の四周に配置、固定することで、枠体１０を建物開口部の四周に対して配置することができる。
このとき、建物開口部の四隅において、横枠（上枠１１，下枠１２）の少なくとも上内レール１１２ｂ、上外レール１１２ｃ及び下内レール１２２ｂ、下外レール１２２ｃの一部、もしくは、竪枠（左竪枠１３，右竪枠１４）の中央壁部１３１ｂ，１４１ｂの一部を切欠くこと等によって、上枠１１，下枠１２及び左、右竪枠１３，１４同士が取付けに際して干渉することを防止することができる。
【００１７】
（内障子の構成）
内障子２０の上框２１は、図２に示すように、樹脂材料からなる上框本体２１１と、アルミ合金等の金属材料からなり上框本体２１１に内装される補強芯材２１２を有している。
上框本体２１１は、パネル体２５を保持するためのパネル間口部２１１ａと、パネル間口部２１１ａの外周側に形成され上内レール１１２ｂに案内される開口部２１１ｂを有し、開口部２１１ｂ内に補強芯材２１２が配置されている。
【００１８】
パネル間口部２１１ａ内には、スチール等の金属材料からなる補強部材２１３が配置されており、パネル体２５が、補強部材２１３及び難燃性のグレイジングチャンネル２１９を介してパネル間口部２１１ａに保持されている。
開口部２１１ｂを構成する室内、外側壁の上端には上内レール１１２ｂに当接もしくは近接する気密片が設けられている。
【００１９】
補強芯材２１２は、開口部２１１ｂの底部に沿って配置される底壁部２１２ａと、底壁部２１２ａの室内側端部に連続して開口部２１１ｂの室内壁に沿って延びる室内壁部２１２ｂと、底壁部２１２ａの室外側端部に連続して開口部２１１ｂの外側壁に沿って延びる室外壁部２１２ｃを有している。
開口部２１１ｂに配置された補強芯材２１２とパネル間口部２１１ａに配置された補強部材２１３とは、開口部２１１ｂの底壁を間に挟んで連結手段により連結されている。
【００２０】
内障子２０の下框２２は、図２に示すように、樹脂材料からなる下框本体２２１と、アルミ合金等の金属材料からなり下框本体２２１に内装される第１補強芯材２２２及び第２補強芯材２２３を有している。
下框本体２２１は、内周側のパネル間口部２２１ａと、パネル間口部２２１ａの外周に配置される中空部２２１ｂと、外周側の開口部２２１ｃとを有している。
【００２１】
第１補強芯材２２２は、断面略矩形の中空形状をなしており、下框本体２２１の中空部２２１ｂ内に配置されている。第２補強芯材２２３は、矩形中空部と下方に開口する開口部を備える断面形状をなしており、下框本体２２１の開口部２２１ｃの開口内に配置されている。
第１補強芯材２２２の中空部内には、スチール等からなる断面略Ｕ字状の第１補強部材２２４が外周方向に開口するように配置され、第２補強芯材２２３の中空部内及び開口部内には、断面略Ｕ字状の第２補強部材２２５及び第３補強部材２２６がそれぞれ室内方向に開口するように配置されている。
【００２２】
パネル間口部２２１ａ内には、スチール等の金属材料からなる第４補強部材２２７が配置されており、パネル体２５が、第４補強部材２２７及び難燃性のグレイジングチャンネル２２９を介してパネル間口部２２１ａに保持されている。
第４補強部材２２７と第１補強芯材２２２及び第１補強部材２２４は、パネル間口部２２１ａの底壁を挟んで連結手段を介して連結されている。
また、第１補強芯材２２２と第２補強芯材２２３及び第２補強部材２２５は、下框本体２２１の中空部２２１ｂの底壁を挟んで連結手段により連結されており、第２補強部材２２５と第３補強部材２２６は、第２補強芯材２２３の中間壁を間に挟んで連結手段により連結されている。
下框本体２２１の開口部２２１ｃの所定位置には、下内レール１２２ｂ上を走行する車輪９２が配置され、下内レール１２２ｂ上を走行自在に配置されている。
【００２３】
内障子２０の右竪框（戸先框）２４は、図３に示すように、樹脂材料からなり、断面略矩形の中空部を有する右竪框本体部２４１ｂと、右竪框本体部２４１ｂの内周側に形成されパネル体２５を保持するためのパネル間口部２４１ａを有している。
【００２４】
右竪框本体部２４１ｂの中空部内には、スチール等の金属材料からなり外周側に向けて開口する断面略Ｕ字状の第１補強部材２４２が配置されている。パネル間口部２４１ａ内には、金属材料からなり内周側に向けて開口する断面略Ｕ字状の第２補強部材２４３が配置されており、パネル体２５が、第２補強部材２４３及び難燃性のグレイジングチャンネル２４９を介してパネル間口部２４１ａに保持されている。
第１補強部材２４２と第２補強部材２４３とは、右竪框本体部２４１ｂの内周側の壁部を挟んで連結手段により連結されている。
なお、右竪框本体部２４１ｂの中空部内に配置される第１補強材２４２は、略Ｕ字状の断面形状に限らず、例えば、断面略矩形のホロー構造等でもよい。
【００２５】
内障子２０の左竪框（召合框）２３は、樹脂材料からなり、図３に示すように、中空部を有する左竪框本体部２３１ｂと左竪框本体部２３１ｂの室外側内周に形成されるパネル間口部２３１ａを有している。
左竪框２３の室外側面には、外障子３０の右竪框（召合框）３４の室内側面との間に煙返しを形成する金属材料からなる煙返し片２３５が取り付けられており、また、左竪框２３の外周面には防火クレセント錠６１が取り付けられている。
【００２６】
左竪框本体部２３１ｂの中空部内には、スチール等の金属材料からなりパネル間口部２３１ａの底壁に沿う見込面部と左竪框本体部２３１ｂの室外側面に沿う見付面部と外周側の見込面部を有する第１補強部材２３２と、第１補強部材２３２に固定され少なくとも左竪框本体部２３１ｂの室内側面に沿う見付面部を有する第２補強部材２３３が配置されている。
一方、パネル間口部２３１ａ内には、内周側に向けて開口する断面略Ｕ字状の第３補強部材２３４が配置されており、第３補強部材２３４の底壁には加熱膨張材ｆが配置されている。そして、パネル体２５が、第３補強部材２３４及び難燃性のグレイジングチャンネル２３９を介してパネル間口部２３１ａに保持されている。
【００２７】
第１補強部材２３２と第３補強部材２３４は、左竪框本体部２３１ｂの内周側の壁及び加熱膨張材ｆを間に挟んで連結手段により連結されている。また、第１補強部材２３２と第２補強部材２３３の何れか、もしくは両方に、加熱膨張材ｆが配置されている。
なお、内障子２０に使用されるパネル体２５は、耐火性、耐熱性を有するガラス、例えば、結晶化ガラスにより形成されている。
【００２８】
（外障子の構成）
以下に、外障子３０について説明するが、外障子３０と内障子２０とは、上下枠および戸先框について基本的にその構成を同じくするものであるから、ここでは、特に外障子３０の召合框３４について説明し、内障子２０の構成と同様の構成については、その説明を省略する。
【００２９】
外障子３０の右竪框（召合框）３４は、樹脂材料からなり、図３に示すように、中空部を有する右竪框本体部３４１ｂと右竪框本体部３４１ｂの内周側に形成されるパネル間口部３４１ａを有している。
右竪框（召合框）３４の室内側面には内障子２０の左竪框（召合框）２３の煙返し片２３５とともに煙返しを形成する金属材料からなる煙返し片３４５が取り付けられており、煙返し片３４５の内周側には、防火クレセント受け６２が設けられている。
【００３０】
右竪框（召合框）３４の右竪框本体部３４１ｂの中空部内には、室内側に開口する断面略Ｕ字状の第１補強部材３４２が配置されている。一方、パネル間口部３４１ａ内には、内周側に向けて開口する断面略Ｕ字状の第２補強部材３４３が配置されており、第２補強部材３４３の底壁には加熱膨張材ｆが配置されている。そして、パネル体３５が、第２補強部材３４３及び難燃性のグレイジングチャンネル３４９を介してパネル間口部３４１ａに保持されている。
第１補強部材３４２と第２補強部材３４３は、右竪框本体部３４１ｂの内周側の壁及び加熱膨張材ｆを間に挟んで連結手段により連結されている。また、第１補強部材３４２には、火災時の加熱により膨張する加熱膨張材ｆが配置されている。
【００３１】
以上、本実施形態においては、建物開口部の室内側に配置されサッシは、上下左右の枠体が略平板状の部材と上下のレール部材等により構成されているので、略平板状の部材を建物開口部に順次配置して固定し、上、下枠体の内周面に上、下レール部材を配置して、ビス等の固定手段によって建物開口部に固定して施工することができるので、例えば、室外側に建具が既に施工されている建物の開口部に対しても、後付けで簡単に施工することができ、また、施工後の開口面積の減少を少なく抑えることができる。
【００３２】
本実施形態のサッシの特徴部分である防火構造について、以下に説明する。
まずは、上枠１１と内、外障子２０，３０の上框２１，３１との間の防火構造について、上枠１１と内障子２０の上框２１の構造を参考にして説明する。
【００３３】
図４（ａ）に示すように、枠体１０を構成する上枠１１は、樹脂材料からなる上枠本体１１１の内周に金属材料からなる上レール部材１１２が配置されて形成されている。
上枠本体１１１の上枠本体部１１１ａは、上レール部材１１２が配置される見込み方向略中央部分に形成された建物開口部に取り付けられる固定部１１１ｃと、固定部１１１ｃの見込み方向で室内側と室内側の両側に連続する内、外段部１１１ｄ，１１１ｅを有しており、内、外段部１１１ｄ，１１１ｅの上面には、加熱膨張材ｆ１１，ｆ１１が配置されている
【００３４】
上枠本体部１１１ａの見込み方向両端部には、上枠１１を建物開口部に取り付けたときに建物開口部に当接するシール部１１１ｆ，１１１ｇが設けられており、建物開口部と上枠１１との間に配置された加熱膨張材ｆ１１，ｆ１１を保護している。
【００３５】
一方、内障子２０の上框２１は、樹脂材料によりなる上框本体２１１に金属材料からなる複数の補強材が内装されて形成されている。
上框本体２１１の内周側は、室内側に中空壁からなる内パネル間口壁２１１ｃを有し、室外側に中空壁からなる外パネル間口壁２１１ｄを有しており、両パネル間口壁２１１ｃ，２１１ｄによって、パネル間口部２１１ａが形成されている。
【００３６】
パネル間口部２１１ａには補強部材２１３が配置されており、補強部材２１３の内周には、難燃性のグレイジングチャンネル２１９が配置されている。補強部材２１３とグレイジングチャンネル２１９との間には、加熱膨張材ｆ２１１が設けられている。
【００３７】
また、上框本体２１１の外周側は、室内側に上方に延びる室内側壁部２１１ｇと、室外側に上方に延びる室外側壁部２１１ｈを有しており、室内側壁部２１１ｇと室外側壁部２１１ｈとによって、開口部２１１ｂが形成されている。
室内側壁部２１１ｇと室外側壁部２１１ｈは、外周端部にそれぞれ係止部２１１ｉ，２１１ｊを有しており、開口部２１１ｂ内に配置された補強芯材２１２の室内壁部２１２ｂの上端及び室外壁部２１２ｃの上端を係止している。
【００３８】
補強芯材２１２は、開口部２１１ｂの底部に沿って配置される底壁部２１２ａと、底壁部２１２ａの室内側端に連続する室内壁部２１２ｂと、底壁部２１２ａの室外側端に連続する室外壁部２１２ｃを有しており、全体として外周方向の開口が深く形成された断面略Ｈ字状の部材として形成されている。
そして、底壁部２１２ａの下面に、加熱膨張材ｆ２１２が配置されるとともに、底壁部２１２ａの上面に加熱膨張材ｆ２１３が配置されている。上框本体２１１の開口部２１１ｂに配置された補強芯材２１２とパネル間口部２１１ａに配置された補強部材２１３は、上框本体２１１の開口部２１１ｂの底壁及び加熱膨張材ｆ２１２を間にして連結手段を介して連結されている。
【００３９】
そして、火災時には、図４（ｂ）に示すように、建物開口部と上枠１１との間に配置された加熱膨張材ｆ１１，ｆ１１が膨張することで、建物開口部と上レール部材１１２との間を塞ぐことができ、また、建物開口部側が延燃されることを防止することができる。
さらに、上框２１の補強芯材２１２の底壁部２１２ａの上面に配置された加熱膨張材ｆ２１３は、室内壁部２１２ｂと室外壁部２１２ｃによって膨張方向が制限され、上枠１１に向かうように膨張する。
そのため、上枠１１に配置された加熱膨張材ｆ１１と補強芯材２１２の底壁部２１２ａの上面に配置された加熱膨張材ｆ２１３が膨張して、建物開口部、金属材料からなる上レール部材１１２及び補強芯材２１２を包み込むように一体となって膨張して、上枠１１と内障子２０との間の空間を塞ぐことができる。
【００４０】
また、内障子２０の補強芯材２１２の底壁部２１２ａの下面に配置された加熱膨張材ｆ２１２は、膨張することで補強芯材２１２と補強部材２１３との連結部を覆い、補強部材２１３の内周に配置された加熱膨張材ｆ２１１は、膨張することで補強部材２１３と耐火性を有するパネル体２５とを一体的に覆うことができ、内障子２０の上框２１における室内外の連通を抑制することができる。
【００４１】
次に、下枠１２と内、外障子２０，３０の下框２２，３２との間の防火構造について、下枠１２と内障子２０の下框２２の構成を参考にして説明する。
図５（ａ）に示すように、枠体１０を構成する下枠１２は、樹脂材料からなる下枠本体１２１の内周に金属材料からなる下レール部材１２２が配置されて形成されている。
下枠本体１２１の下枠本体部１２１ａは、下レール部材１２２が配置される見込み方向略中央部分の建物開口部に取り付けられる固定部１２１ｃと、固定部１２１ｃの見込み方向で室内側と室外側の両側に連続する内、外段部１２１ｄ，１２１ｅを有しており、内、外段部１２１ｄ，１２１ｅの下面には、加熱膨張材ｆ１２，ｆ１２が配置されている。
【００４２】
下枠本体部１２１ａの見込み方向両端部には、下枠１２を建物開口部に取り付けたときに建物開口部に当接するシール部１２１ｆ，１２１ｇが設けられており、建物開口部と上枠１１との間に配置された加熱膨張材ｆ１２，ｆ１２を保護している。
【００４３】
一方、内障子２０の下框２２は、樹脂材料によりなる下框本体２２１に金属材料からなる複数の補強材が内装されて形成されている。
下框本体２２１の内周側は、室内側に中空壁からなる内パネル間口壁２２１ｄを有し、室外側に中空壁からなる外パネル間口壁２２１ｅを有しており、両パネル間口壁２２１ｄ，２２１ｅによって、パネル間口部２２１ａが形成されている。
【００４４】
パネル間口部２２１ａには補強部材２２７が配置されており、補強部材２２７の内周には、難燃性のグレイジングチャンネル２２９が配置されている。補強部材２２７とグレイジングチャンネル２２９との間には、加熱膨張材ｆ２２１が設けられている。
【００４５】
下框本体２２１は、パネル間口部２２１ａの外周側に中空部２２１ｂを有しており、中空部２２１ｂ内には、第１補強芯材２２２が配置されている。
また、下框本体２２１は、中空部２２１ｂのさらに外周側に、室内側から下方に延びる室内側壁部２２１ｆを有し、室外側から下方に延びる室外側壁部２２１ｇを有しており、室内側壁部２２１ｆと室外側壁部２２１ｇとによって、開口部２２１ｃが形成されている。
【００４６】
開口部２２１ｃ内には、第２補強芯材２２３が配置されている。第２補強芯材２２３は、中空部２２３ａと、中空部２２３ａの室内側から下方に延びる室内側壁部２２３ｂと、中空部２２３ａの室外側から下方に延びる室外側壁部２２３ｃを有し、室内側壁部２２３ｂと室外側壁部２２３ｃとによって下方開口部２２３ｄが形成されている。
第２補強芯材２２３の中空部２２３ａには第２補強部材２２５が配置され、下方開口部２２３ｄには第３補強部材２２６が配置されており、第２補強部材２２５と第３補強部材２２６は連結手段によって連結されている。
【００４７】
下方開口部２２３ｄに配置された第３補強部材２２６の下面は、第２補強芯材２２３の室内側壁部２２３ｂと室外側壁部２２３ｃの下端よりも上方位置となっており、下框２２の下端は下方に開口する凹部となっている。
そして、凹部を形成する第２補強芯材２２３の室内側壁部２２３ｂの下端室外側面と室外側壁部２２３ｃの下端室内側面には、それぞれ加熱膨張材ｆ２２２，ｆ２２２が設けられ、第２補強芯材２２３の下方開口部２２３ｄに配置された第３補強部材２２６の下面には、加熱膨張材ｆ２２３が設けられている。
【００４８】
そして、火災時には、図５（ｂ）に示すように、建物開口部と下枠１２との間に配置された加熱膨張材ｆ１２，ｆ１２が膨張することで、建物開口部と下レール部材１２２との間を塞ぐことができ、また、建物開口部側が延燃されることを防止することができる。
さらに、下框２２の第２補強芯材２２３の室内側壁部２２３ｂと室外側壁部２２３ｃに配置された加熱膨張材ｆ２２２，f２２２および第３補強部材２２６の下面に配置された加熱膨張材ｆ２２３は、室内側壁部２２３ｂと室外側壁部２２３ｃによって膨張方向が制限され、下枠１２に向かうように膨張する。
そのため、下枠１２に配置された加熱膨張材ｆ１２と下框２２の凹部に配置された加熱膨張材ｆ２２２，ｆ２２３が、建物開口部、金属材料からなる下レール部材１２２及び第２補強芯材２２３を包み込むように一体となって膨張して、下枠１２と内障子２０との間の空間を塞ぐことができる。
【００４９】
また、下框２２のパネル間口部２２１ａ内の補強部材２２７の内周に配置された加熱膨張材ｆ２２１は、膨張することで補強部材２２７と耐火性を有するパネル体２５とを一体的に覆うことができ、内障子２０の下框２２における室内外の連通を抑制することができる。
【００５０】
次に、左、右竪枠１３，１４と内、外障子２０，３０の左、右竪框２３，２４，３３，３４との間の防火構造について、右竪枠１４と内障子２０の右竪框２４の構成を参考にして説明する。
【００５１】
図６（ａ）に示すように、枠体１０を構成する右竪枠１４は、樹脂材料からなり、略平板状の右竪枠本体部１４１ａと、右竪枠本体部１４１ａの見込み方向略中央位置から内周方向に突設される中央壁部１４１ｂと、右竪枠本体部１４１ａの室内側端から内周方向に突設される室内側壁部１４１ｃと、右竪枠本体部１４１ａの室外側端から内周方向に突設される室外側壁部１４１ｄとを有している。
【００５２】
右竪枠本体部１４１ａは、外周面に長手方向に沿って複数のリブを有しており、建物開口部に対して所定間隔をあけて取り付けられている。そして、右竪枠１４の外周面の室内側と室外側には、右竪枠１４の長手方向の略全長に亘って加熱膨張材ｆ１４１，ｆ１４１が配置されている。
右竪枠本体部１４１ａの見込み方向両端部には、右竪枠１４を建物開口部に取り付けたときに建物開口部に当接するシール部１４１ｆ，１４１ｇが設けられており、建物開口部と上枠１１との間に配置された加熱膨張材ｆ１４１，ｆ１４１を保護している。
【００５３】
右竪枠１４の内周面に配置される補強部材１４２は、右竪枠本体部１４１ａの内周面に配置される見込み面１４２ａと中央壁部１４１ｂの室内側面に配置される見付け面１４２ｂを有し、断面略Ｌ字状をしている。そして、補強部材１４２は、補強部材１４２の見込み面１４２ａから見付け面１４２ｂの室内側の部位、すなわち内障子２０の閉鎖時において戸先框２４の戸先面と室外側面の角部が近接する部位に、長手方向の略全長に亘って加熱膨張材ｆ１４２，ｆ１４３が配置されている。
【００５４】
一方、内障子２０の右竪框２４は、右竪框本体部２４１ｂの内周側の室内側に内パネル間口壁２４１ｃを有し、室外側に外パネル間口壁２４１ｄを有しており、両パネル間口壁２４１ｃ，２４１ｄによって、パネル間口部２４１ａが形成されている。
【００５５】
パネル間口部２４１ａには補強部材２４３が配置されており、補強部材２４３の内周には、難燃性のグレイジングチャンネル２４９が配置されている。補強部材２４３とグレイジングチャンネル２４９との間には、加熱膨張材ｆ２４１が設けられている。
【００５６】
右竪框本体部２４１ｂの中空部内には、補強部材２４２が配置されている。
補強部材２４２は、内周側見込壁２４２ａと、室内側見付壁２４２ｂと、室外側見付壁２４２ｃを有し、外周方向に開口する断面略Ｕ字状の部材により形成されており、内周側見込壁２４２ａの外周面と室内側見付壁２４２ｂの室外側面と室外側見付壁２４２ｃの室内側面には、それぞれ加熱膨張材ｆ２４２，ｆ２４３，ｆ２４４が配置されている。
また、補強部材２４２の内周側見込壁２４２ａの内周面と右縦框本体２４１との間には、加熱膨張材ｆ２４５，２４５が配置されている。
【００５７】
そして、火災時には、図６（ｂ）に示すように、建物開口部と右竪枠１４との間に配置された加熱膨張材ｆ１４１，ｆ１４１と、右竪枠１４の内周に固定された補強部材１４２の見込み面１４２ａと見付け面１４２ｂに設けられた加熱膨張材ｆ１４２，ｆ１４３が膨張するとともに、右竪框２４の補強部材２４２の内周に配置された加熱膨張材ｆ２４２，ｆ２４３，ｆ２４４が膨張する。
このとき、補強部材２４２の内周に配置された加熱膨張材ｆ２４２，ｆ２４３，ｆ２４４は、外周に開口する補強部材２４２の室内側見付壁２４２ｂと室外側見付壁２４２ｃによって膨張する方向が規制され右竪枠１４に向かうように膨張する。
そのため、右竪框２４の補強部材２４２に配置された加熱膨張材ｆ２４２，ｆ２４３，ｆ２４４と右竪枠１４に配置された各加熱膨張材ｆ１４１，ｆ１４２，ｆ１４３は一体となって、建物開口部、金属材料からなる補強部材１４２及び右縦框２４の補強部材２４２を包み込むように膨張して、右縦枠１４と内障子２０との間を塞ぐことができる。
【００５８】
また、右竪框２４のパネル間口部２４１ａ内の補強部材２４３の内周に配置された加熱膨張材ｆ２４１は、膨張することで補強部材２４３と耐火性を有するパネル体２５とを一体的に覆うことができ、内障子２０の右竪框２４における室内外の連通を抑制することができる。
【００５９】
さらに、本実施形態のサッシは、上記枠体と障子の框との間に配置した加熱膨張材に加えて、図１に示すサッシの四隅の部分ＡないしＤ、及び、内、外障子の召合部の上下部Ｅ，Ｆにおける防火性能を向上させるための構造を備えている。以下、図７を参考にして詳細に説明する。
なお、上枠の四隅部分Ａ，Ｂと下枠の四隅部分Ｃ，Ｄ、及び、上枠の召合部上部Ｅと下枠の召合部上部Ｆは、概ね同様の構成をしているので、ここでは上枠１１を用いて説明し、下枠についてはその説明を省略する。
【００６０】
図７に示すように、サッシの上枠１１は、樹脂材料からなる上枠本体１１１と、上枠本体１１１の見込み方向中央部分に配置される上レール部材１１２を備えており、左、右竪枠１３，１４の間に配置されている。
上レール部材１１２は、上内レール１１２ｂと上外レール１１２ｃを有しており、上内レール１１２ｂと上外レール１１２ｃの間であって、上レール部材１１２の見付方向ほぼ中央位置、すなわち内、外障子２０，３０の召合せ部の上部位置には、風止め部材７１が配置されている。
【００６１】
風止め部材７１は、弾性を有する軟質の樹脂部材等からなり、上レール部材１１２に固定される平面視矩形板状の固定板部７１１と、固定板部７１１の下面より下方に垂設される風止めヒレ部７１２を有している。本実施形態のサッシの風止めヒレ部７１２は、見込み方向に並ぶ３枚一組のヒレ部が見付方向に３列並んで形成されている。なお、風止め部材７１の構成は特に限定されるものではない。
そして、風止め部材７１の固定板部７１１の下面であって、３列の風止めヒレ部７１２，７１２，７１２の両側及び間には、加熱膨張材ｆ１１２が配置されている。
したがって、内、外障子２０，３０の召合わせ部の上部位置においては、火災時には、風止め部材７１に配置した加熱膨張材ｆ１１２が内、外障子２０，３０の召合框２３，３４の上部位置で膨張し、上枠１１と内障子２０の上框２１との間を塞ぐ加熱膨張材と、上枠１１と外障子３０の上框３１との間を塞ぐ加熱膨張材とを召合せ部の上部において連続することができる。
【００６２】
また、サッシの左竪枠１３の中央壁部１３１ｂの室外側には、内、外障子２０，３０の閉鎖時に外障子３０の戸先框３３の戸先面に向かって膨張する加熱膨張材ｆ１３２及び戸先框３３の室内側面に向かって膨張する加熱膨張材ｆ１３３が配置されており、サッシの右竪枠１４の中央壁部１４１ｂの室内側には、内、外障子２０，３０の閉鎖時に内障子２０の戸先框２４の戸先面に向かって膨張する加熱膨張材ｆ１４２及び戸先框３３の室外側面に向かって膨張する加熱膨張材ｆ１４３が配置されている。
そして、上枠１１の上内レール１１２ｂと上外レール１１２ｃの間であって、左竪枠１３の近傍位置及び右竪枠１４の近傍位置、すなわち内障子２０及び外障子３０の戸先框２４，３３の上部位置には、見込み方向に並ぶ２つの加熱膨張材ｆ１１３，ｆ１１３が配置されている。
したがって、火災時に、上枠１１の戸先側上隅部に配置した加熱膨張材ｆ１１３，ｆ１１３が膨張し、左、右竪枠１３，１４の左、右竪枠本体部１３１ａ，１４１ａの内周及び中間壁部１３１ｂ，１４１ｂに配置されて、内、外障子２０，３０の戸先框２４，３と左、右竪枠１４，１３との間を塞ぐ加熱膨張材ｆ１３２，ｆ１３３，ｆ１４２，ｆ１４３と、上枠１１と内、外障子２０，３０の上框２１、３１との間を塞ぐ加熱膨張材ｆ２１３，ｆ３１３を、枠体１０の上隅部分において連続することができる。
【００６３】
さらに、本実施形態のサッシは、内、外障子自体にも、防火性能を向上させるための構造を備えている。以下、図８ないし１１を参考にして説明する。なお、内障子２０と外障子３０の防火構造は同様であるので、以下の説明おいては、内障子２０を用いて説明する。
本実施形態のサッシの内障子２０は、図８に示すように、左、右竪框２３，２４の内周面に上框２１及び下框２２の端面を突き当ててネジ等の固定手段ｂにより固定することで四周組みされている。
左、右竪框２３，２４の上下端には、樹脂材料からなる端部キャップ８１が装着されており、左、右竪框２３，２４の上、下框２１，２２が当接する部位には、端部キャップ８１に隣接してコーナーブロック８２が配置されている。
【００６４】
内障子２０のコーナー部分の構成について、下框２２と右竪框２４との連結部分を用いて、さらに詳細に説明する。
図９（ａ）に示すように、右竪框２４の下端には、端部キャップ８１が装着されており、端部キャップ８１の上方位置で下框２２の端部が当接する右竪框２４のパネル間口部２４１ａ内には、パネル間口部２４１ａの空間を埋めるようにコーナーブロック８２が配置されている。
【００６５】
ここで、端部キャップ８１及びコーナーブロック８２を、図１１に示す。
端部キャップ８１は、例えば樹脂材料からなり、図１１（ｃ），（ｄ），（ｅ）に示すように、ブロック状の挿入部８１ａと、挿入部８１ａの下面に形成される蓋部８１ｂと、挿入部８１ａの戸先側に形成される鍔部８１ｃを有している。
挿入部８１ａには、複数のリブ部８１ｄが設けられており、右竪框２４の下端に挿入されることで、端部キャップ８１を右竪框２４の下端に強固に装着することができる。挿入部８１ａが右竪框２４の下端に挿入された状態で、蓋部８１ｂが右竪框２４の下端面を覆い、鍔部８１ｃが右竪框２４の戸先側下端に露出している。
【００６６】
一方、コーナーブロック８２は、アルミ合金等の金属材料からなり、図１１（ａ），（ｂ）に示すように、全体として上下方向に長い立方体形状のブロック部材である。コーナーブロック８２は、右竪框２４のパネル間口部２４１ａ内に収まる断面寸法（パネル間口部２４１ａに収まる補強部材２４３と同程度）を有しており、上下方向に複数のビス等の固定手段用の孔８２ａが形成されている。
【００６７】
そして、パネル間口部２４１ａ内に配置されたコーナーブロック８２は、図９（ｂ），（ｃ）に示すように、反戸先側面８２ｃが右竪框２４の下框２２が当接する当接面２４１ｓとほぼ面一となり、下框２２の右端部を右竪框２４の当接面２４１ｓ及びコーナーブロック８２の反戸先側面８２ｃに当接させて、ビス等の固定手段ｂにより固定することで、右竪框２４と下框２２を連結することができる。
【００６８】
右竪框２４に下框２２が連結された状態では、図１０に示すように、コーナーブロック８２の上面８２ｂは下框２２のパネル間口部２２１ａ内に配置された補強部材２２７の底壁の上面とほぼ面一となる。
したがって、図１０（ｂ），（ｃ）に示すように、補強部材２２７の底壁に配置された加熱膨張材ｆ２２１をコーナーブロック８２の上面８２ｂにまで配置することができ、右竪框２４のパネル間口部２４１ａ内に配置された補強部材２４３の底壁に配置された加熱膨張材ｆ２４１と角部において近接させることができる。
【００６９】
以上のように、本実施形態にかかるサッシの内、外障子２０，３０は、樹脂材料からなる上框本体、下框本体及び左、右竪框本体の内部に、金属材料からなる補強芯材もしくは補強部材が内装されており、補強芯材及び補強部材の適宜部位には、加熱膨張材が配置されている。
特に、竪枠に対向する戸先框の竪框本体には、外周側に向けて開口する断面略Ｕ字状の補強部材が配置されており、補強部材の内周面の三面には加熱膨張材が配置されている。
したがって、室内側および室外側の何れの側からの火災に対しても早期に加熱膨張材が膨張し、補強部材の内周で膨張した加熱膨張材は外周側、すなわち竪枠や補強部材５８２，５９２に向けて膨張するので、樹脂材料からなる戸先框本体が溶融、消失したとしても、障子と枠体との間を確実に封鎖することができる。
【００７０】
また、枠体１０を構成する上枠１１、下枠１２及び左、右竪枠１３，１４を建物開口部との間には、室内側と室外側に見付け方向に伸びる内外二条の加熱膨張材を設けているので、火災時には、建物開口部と枠体との間に設けられた加熱膨張材が膨張して、框体に配置された加熱膨張材と一体的に膨張することとなり、火災の熱によって枠体や障子が変形、溶融して生じる建物開口部と枠体１０及び内、外障子２０，３０との間の隙間を確実に塞ぐことができ、延焼を抑えることができる。
【００７１】
なお、本実施形態のサッシは、それ単独で建物開口部に配置されるサッシとして使用できるが、室外側に既設のサッシが配置された建物開口部の室内側に配置される室内側サッシとして、使用することもできる。
さらに、本発明において、内障子及び外障子の構成は、上記実施形態に限定されるものではなく、本発明の要旨を変更しない範囲において、如何なる障子も用いることができる。
また、障子の框材を補強する補強材の断面形状は、実施形態に示す断面形状に限定されるものではなく、補強材に配置される加熱膨張材の位置も限定されるものではない。例えば、竪框内に配置する補強部材をホロー構造にした場合などには、加熱膨張材は、枠体に対向する面（外周面）等に設けてもよい。
さらに、障子を構成する框材のパネル間口部内に配置される補強部材は、見付け方向に延びる長尺部材として形成されることが好ましいが、ピース状に形成されて框材の見付け方向の複数位置に配置されていてもよい。
【符号の説明】
【００７２】
１０        ：枠体
１１        ：上枠
１２        ：下枠
１３        ：左竪枠
１４        ：右竪枠
２０        ：内障子
２１        ：上框
２２        ：下框
２３        ：右竪框
２４        ：右竪框
２５        ：パネル体
３０        ：外障子
３１        ：上框
３２        ：下框
３３        ：左竪框
３４        ：右竪框
３５        ：パネル体
７１        ：風止め部材
７２        ：風止め部材
【図１】
2019060071.tif 000003
【図２】
2019060071.tif 000004
【図３】
2019060071.tif 000005
【図４】
2019060071.tif 000006
【図５】
2019060071.tif 000007
【図６】
2019060071.tif 000008
【図７】
2019060071.tif 000009
【図８】
2019060071.tif 000010
【図９】
2019060071.tif 000011
【図１０】
2019060071.tif 000012
【図１１】
2019060071.tif 000013